(57)【要約】【課題】カッター刃５ｃの当たり具合を容易に調整することが可能なロータリーカッターユニットを提供する。【解決手段】カッタードラム１６と、バキュームドラム１７と、第一の回転軸１０１ａと、第二の回転軸１０１ｂと、カッター刃１６ａと、を備えており、カッタードラム１６は、フィルムをカットするドラムで、その円筒状表面に１つのカッター刃１６ａを備えている。バキュームドラム１７は、その円筒状表面にフィルムをバキューム吸着する吸着孔を備えている。回転軸は、カッタードラム１６を回転させる第一の回転軸１０１ａと、バキュームドラム１７を回転させる第二の回転軸１０１ｂで構成され、両回転軸は平行に設けられ、同角速度で逆回転する。バキュームドラム１７の内円は外円と偏心しており、それによって両ドラム間の間隔が変化し、最適な間隔を選択することが出来る。【選択図】図３
2015006710.tif 000002
【特許請求の範囲】
【請求項１】
２つの円筒形ドラム間の隙間にフィルムを通してフィルムをカットするロータリーカッターユニットであって、
カッタードラムと、バキュームドラムと、回転軸と、カッター刃と、を備え、
カッタードラムは、フィルムをカットするドラムで、その円筒状表面に１つのカッター刃を備え、
バキュームドラムは、その円筒状表面にフィルムを吸着する吸着孔を備え、
回転軸は、カッタードラムを回転させる第一の回転軸と、バキュームドラムを回転させる第二の回転軸で構成され、２つの回転軸は平行に設けられ、同角速度で逆回転するもので、
更に第二の回転軸がバキュームドラムの中心から偏心して位置するように、バキュームドラムが第二の回転軸に固定されていることを特徴とするロータリーカッターユニット。
【請求項２】
２つの円筒形ドラム間の隙間にフィルムを通してフィルムをカットするロータリーカッターユニットであって、
カッタードラムと、バキュームドラムと、回転軸と、固定冶具と、カッター刃と、を備え、
カッタードラムは、フィルムをカットするドラムで、その円筒状表面に１つのカッター刃を備え、
バキュームドラムは、その円筒状表面にフィルムを吸着する吸着孔を備え、
回転軸は、カッタードラムを回転させる第一の回転軸と、バキュームドラムを回転させる第二の回転軸で構成され、２つの回転軸は平行に設けられ、同角速度で逆回転するもので、
前記固定冶具は、バキュームドラムを第二の回転軸に固定する冶具であって、
更に前記円筒形バキュームドラムの内円は外円と偏心しており、この内円に固定冶具が位置するように、前記バキュームドラムは前記固定冶具に固定されており、
前記第二の回転軸が固定冶具の中心に位置するように、固定冶具が第二の回転軸に固定されていることを特徴とするロータリーカッターユニット。
【請求項３】
２つの円筒形ドラム間の隙間にフィルムを通してフィルムをカットするロータリーカッターユニットであって、
カッタードラムと、バキュームドラムと、回転軸と、固定冶具と、カッター刃と、を備え、
カッタードラムは、フィルムをカットするドラムで、その表面上に１つのカッター刃を備え、
バキュームドラムは、その円筒表面にフィルムを吸着する吸着孔を備え、
回転軸は、カッタードラムを回転させる第一の回転軸と、バキュームドラムを回転させる第二の回転軸で構成され、２つの回転軸は平行に設けられ、同角速度で逆回転するもので、
前記固定冶具は、バキュームドラムを第二の回転軸に固定する冶具であって、円筒形バキュームドラムの内円に固定されており、
更に前記固定冶具は円筒形であってその内円は外円と偏心しており、かつ、前記第二の回転軸が固定冶具の内円に位置するように、固定冶具が第二の回転軸に固定されていることを特徴とするロータリーカッターユニット。
【発明の詳細な説明】
【技術分野】
【０００１】
本発明はカッタードラムとバキュームドラム間の隙間にフィルムを通しフィルムをカットするロータリーカッターユニットに関するものである。
【背景技術】
【０００２】
従来より、例えば封筒や紙容器の窓部に透明フィルムを貼り付ける窓貼機にはロータリーカッターユニットが用いられている。
【０００３】
図１は紙容器の窓部に透明なフィルム（以下、フィルム）を貼り付ける窓貼機の一例を示す概略図である。紙容器が成形される前の紙容器ブランクス１は矢印８の方向から供給され、糊付け装置２で紙容器１の一部に糊付けされる。フィルム３は矢印７の方向から供給され、複数のガイドローラ４ａでガイドされて搬送される。２つのローラー４ｂはフィルム３の送り量を制御するローラーで、小片のフィルム３ａの長さ分だけ送った後は、回転を止め、フィルム３の送りを停止する。小片のフィルム３ａがカットされた後に再び小片のフィルム３ａの長さ分だけ送る。
【０００４】
ロータリーカッターユニット５は、２つの円筒型カッタードラム５ａとバキュームドラム５ｂで構成されている。このカッタードラム５ａとバキュームドラム５ｂは同期して逆回転する。
【０００５】
カッタードラム５ａの円筒状の表面には、表面から突出したカッター刃５ｃが備えられており、それによってフィルム３を小片のフィルム３ａにカットする。
【０００６】
バキュームドラム５ｂの円筒状の表面の全周にわたって小片のフィルム３ａを吸着するための吸着孔が設けられており、小片のフィルム３ａを吸着したまま回転する。
【０００７】
小片のフィルム３ａが最下点に達した時点で小片のフィルム３ａは紙容器ブランクス１の窓部１ａに仮付けされ、その後最終的にプレスローラー６で押圧されて貼り付けられる。
【先行技術文献】
【特許文献】
【０００８】
【特許文献１】特開２００６−０１５４８５号公報
【発明の概要】
【発明が解決しようとする課題】
【０００９】
図２に上記従来のロータリーカッターユニット５を詳細に示す。図２はロータリーカッターユニット５の全体図で、カッタードラム５ａにはカッター刃５ｃとシム（薄い金属片）５ｄが組み込まれている。カッター刃５ｃの当たり具合（カッタードラム５ａとバキュームドラム５ｂの間隔）を調整する場合には、シム５ｄの枚数を変更することによって行っている。このように、カッター刃５ｃの当たり具合はシム５ｄの枚数に依存するため最適に調整することが難しく、更にカッター刃５ｃを交換する場合には、分解・調整・組み付けといった一連の作業には時間が掛かるといった問題がある。
【００１０】
そこで本発明は、カッター刃５ｃの当たり具合を容易に調整することが可能なロータリーカッターユニットを提供することを目的とする。
【課題を解決するための手段】
【００１１】
本発明の請求項１に係る発明は、
２つの円筒形ドラム間の隙間にフィルムを通してフィルムをカットするロータリーカッターユニットであって、
カッタードラムと、バキュームドラムと、回転軸と、カッター刃と、を備え、
カッタードラムは、フィルムをカットするドラムで、その円筒状表面に１つのカッター刃を備え、
バキュームドラムは、その円筒状表面にフィルムを吸着する吸着孔を備え、
回転軸は、カッタードラムを回転させる第一の回転軸と、バキュームドラムを回転させる第二の回転軸で構成され、２つの回転軸は平行に設けられ、同角速度で逆回転するもので、
更に第二の回転軸がバキュームドラムの中心から偏心して位置するように、バキュームドラムが第二の回転軸に固定されていることを特徴とするロータリーカッターユニットである。
【００１２】
本発明の請求項２に係る発明は、
２つの円筒形ドラム間の隙間にフィルムを通してフィルムをカットするロータリーカッターユニットであって、
カッタードラムと、バキュームドラムと、回転軸と、固定冶具と、カッター刃と、を備え、
カッタードラムは、フィルムをカットするドラムで、その円筒状表面に１つのカッター刃を備え、
バキュームドラムは、その円筒状表面にフィルムを吸着する吸着孔を備え、
回転軸は、カッタードラムを回転させる第一の回転軸と、バキュームドラムを回転させる第二の回転軸で構成され、２つの回転軸は平行に設けられ、同角速度で逆回転するもので、
前記固定冶具は、バキュームドラムを第二の回転軸に固定する冶具であって、
更に前記円筒形バキュームドラムの内円は外円と偏心しており、この内円に固定冶具が位置するように、前記バキュームドラムは前記固定冶具に固定されており、
前記第二の回転軸が固定冶具の中心に位置するように、固定冶具が第二の回転軸に固定されていることを特徴とするロータリーカッターユニットである。
【００１３】
本発明の請求項３に係る発明は、
２つの円筒形ドラム間の隙間にフィルムを通してフィルムをカットするロータリーカッターユニットであって、
カッタードラムと、バキュームドラムと、回転軸と、固定冶具と、カッター刃と、を備え、
カッタードラムは、フィルムをカットするドラムで、その表面上に１つのカッター刃を備え、
バキュームドラムは、その円筒表面にフィルムを吸着する吸着孔を備え、
回転軸は、カッタードラムを回転させる第一の回転軸と、バキュームドラムを回転させる第二の回転軸で構成され、２つの回転軸は平行に設けられ、同角速度で逆回転するもので、
前記固定冶具は、バキュームドラムを第二の回転軸に固定する冶具であって、円筒形バキュームドラムの内円に固定されており、
更に前記固定冶具は円筒形であってその内円は外円と偏心しており、かつ、前記第二の回転軸が固定冶具の内円に位置するように、固定冶具が第二の回転軸に固定されていることを特徴とするロータリーカッターユニットである。
【発明の効果】
【００１４】
本発明によるロータリーカッターユニットによれば、カッター刃の当り具合を任意に且つ容易に調整することが出来る。
【図面の簡単な説明】
【００１５】
【図１】窓貼機の一例を示す概略図。
【図２】従来のロータリーカッターユニットを詳細に示す図。
【図３】本発明のロータリーカッターユニットの概略構成を示す図。
【図４】本発明に係るバキュームドラムについて詳しく説明するための図。
【図５】本発明に係るカッタードラムとバキュームドラムとの隙間（間隔）ｄを調整することが可能となることを示す図。
【図６】最適な隙間ｄ１が得られた時点で本発明に係るカッタードラムのカッター刃がカット位置に来るように調整すれば良いことを示す図。
【図７】図３とは別の本発明のロータリーカッターユニットの概略構成を示す図。
【発明を実施するための形態】
【００１６】
以下、図面を参照して本発明のロータリーカッターユニットを実施するための形態を説明する。
【００１７】
図３は本発明の請求項１に記載のロータリーカッターユニットの概略構成を示す図である。本発明のロータリーカッターユニット１５は、カッタードラム１６と、バキュームドラム１７と、第一の回転軸１０１ａと、第二の回転軸１０１ｂと、カッター刃１６ａと、を備えている。
【００１８】
カッタードラム１６は、フィルムをカットするドラムで、その円筒状表面に１つのカッター刃１６ａを備えている。
【００１９】
バキュームドラム１７は、その円筒状表面にフィルムをバキューム吸着する図示しない吸着孔を備えている。
【００２０】
回転軸は、カッタードラム１６を回転させる第一の回転軸１０１ａと、バキュームドラム１７を回転させる第二の回転軸１０１ｂとで構成され、２つの回転軸は平行に設けられ、同角速度で逆回転する。
【００２１】
バキュームドラム１７について図４を用いて詳しく説明する。本発明に係るバキュームドラム１７は円筒形であってその内円１７ｃは外円１７ｄと偏心している。そして、前記バキュームドラム１７の内円１７ｃが第二の回転軸１０１ｂ（図３参照）に固定されている。この結果、バキュームドラム１７の回転軸（すなわち第二の回転軸１０１ｂ）は、バキュームドラム１７の中心１９ａから符号１９ｂで示される偏心位置となり、バキュームドラム１７は偏心回転する。
【００２２】
このようにバキュームドラム１７が偏心回転することによって、図５に示すようにカッタードラム１６とバキュームドラム１７との隙間（間隔）ｄを調整することが可能となり、図６に示すように最適な隙間ｄ１が得られた時点でカッタードラム１６のカッター刃１６ａがカット位置に来るように調整すれば良い。
【００２３】
図７は請求項２に記載のロータリーカッターユニットの概略構成を示す図である。図７に記載のロータリーカッターユニット１５は、カッタードラム１６と、バキュームドラム１７と、第一の回転軸１０１ａと、第二の回転軸１０１ｂと、固定冶具１０１ｃと、カッター刃１６ａと、を備えている。
【００２４】
固定冶具１０１ｃは、バキュームドラム１７を第二の回転軸１０１ｂに固定する冶具であって、例えば三木プーリー株式会社製のＥＴＰブッシュ（ＥＴＰはＥＴＰ  Ｔｒａｎｓｍｉｓｓｉｏｎ  ＡＢの登録商標）を用いることが出来る。ＥＴＰブッシュを用いることによって、従来、キーとキー溝によって行われていた回転軸１０１ｂとバキュームドラム１７との結合で問題となっていた組み立て精度の問題を解決することが出来、しかも組み立て時間を短縮することが出来る。
【００２５】
図７に示されるバキュームドラム１７について詳しく説明する。図７に示されるバキュームドラム１７は図４に示されるバキュームドラム１７と同じく円筒形であってその内円１７ｃは外円１７ｄと偏心している。そして、前記固定冶具１０１ｃがこの内円１７ｃに位置するように、前記バキュームドラムは前記固定冶具１０１ｃに固定されている。また、前記固定冶具１０１ｃも円筒形を有しており、前記第二の回転軸が固定冶具の内円に位置するように、固定冶具が第二の回転軸に固定されている。なお、その取り付け位置は、第二の回転軸１０１ｂが固定冶具の中心となる位置である。この結果、バキュームドラム１７の回転軸（すなわち第二の回転軸１０１ｂ）は、偏心位置となり、バキュームドラム１７は偏心回転する。
【００２６】
上記説明では、バキュームドラム１７の内円１７ｃを外円１７ｄと偏心させてカッタードラム１６とバキュームドラム１７との隙間（間隔）ｄを調整することを示したが、請求項３に示すロータリーカッターユニットは、バキュームドラム１７の内円１７ｃを外円１７ｄと偏心させる代わりに、図７に示す固定冶具１０１ｃの内円を外円と偏心させても良い。そうすることによってバキュームドラム１７を同じように偏心回転させることが出来る。
【００２７】
以上のように本発明のロータリーカッターユニットによれば、カッター刃の当たりを調整する場合に、従来行っていたシムの枚数調整と比較して、調整の精度が高くしかも調整時間を短縮して容易に行うことが出来る。
【符号の説明】
【００２８】
１・・・紙容器ブランクス
１ａ・・・紙容器ブランクスの窓部
２・・・糊付け装置
３・・・フィルム
３ａ・・・小片のフィルム
４ａ・・・複数のガイドローラ
４ｂ・・フィルムの送り量を制御するローラー
５・・・ロータリーカッターユニット
５ａ・・・カッタードラム
５ｂ・・・バキュームドラム
５ｃ・・・カッター刃
５ｄ・・・シム
６・・・プレスローラー
７・・・フィルムが供給される方向
８・・・紙容器ブランクスが供給される方向
１５・・・本発明のロータリーカッターユニット
１６・・・カッタードラム
１６ａ・・・カッター刃
１７・・・バキュームドラム
１７ｃ・・・バキュームドラムの内円
１７ｄ・・・バキュームドラムの外円
１９ａ・・・バキュームドラムの本来の回転軸の位置
１９ｂ・・・バキュームドラムを偏心させたときの回転軸の位置
１０１ａ・・・第一の回転軸
１０１ｂ・・・第二の回転軸
１０１ｃ・・・固定冶具
ｄ・・・カッタードラムとバキュームドラムとの隙間（間隔）
ｄ１・・・最適な隙間
【図１】
2015006710.tif 000003
【図２】
2015006710.tif 000004
【図３】
2015006710.tif 000005
【図４】
2015006710.tif 000006
【図５】
2015006710.tif 000007
【図６】
2015006710.tif 000008
【図７】
2015006710.tif 000009